(57)【特許請求の範囲】
【請求項１】
金属製の照明装置本体内に取り付けられ、絶縁放熱用柔軟性材料を素材とし、底面側に窓部が形成された直方体形状の筐体と、
前記筐体の上面側内側で前記窓部から離れた位置に配置され、ＬＥＤを実装した平板状のＬＥＤパッケージと、
前記筐体の前記窓部に配置され、前記ＬＥＤパッケージから発する光を透過する透光性の平板状カバーと、
前記筐体の上面を覆い、前記筐体の熱が伝導される取付金具と、を備え、
前記筐体は、前記ＬＥＤパッケージの上面を筐体内壁に面接触させた状態で前記ＬＥＤパッケージを弾性的に保持する保持部を備え、
前記筐体の窓部は、前記平板状カバーをその周縁部を嵌入した状態で弾性的に挟持する溝部を備える、照明装置。
【発明の詳細な説明】
【技術分野】
【０００１】
この発明は、ＬＥＤ等の電気部品を、絶縁、防水及び放熱機能を与えて組み込んだ照明装置に関する。
【背景技術】
【０００２】
電気機器である照明装置の筐体内の所定の位置に、電気部品であるＬＥＤを収納する際には、基板と筐体の金属部分との絶縁性を確保する必要がある。また、ＬＥＤは点灯時に発熱するため、加熱状態を防止するために放熱性が必要とされる。
【０００３】
絶縁及び放熱機能を有するＬＥＤの光源ユニットとして、アルミ基板の前面に発光素子回路が形成されたＬＥＤパッケージをアルミ基板の裏面との間に絶縁放熱用ゴム成形品を挟んで基台に取り付けるようにしたものがある（例えば、特許文献１参照。）。
【０００４】
絶縁性及び熱伝導性の高いゴム材料を介してＬＥＤパッケージを基台に取り付けることで、アルミ基板の絶縁性を確保するとともに、ＬＥＤの加熱状態を防止できる。アルミ基板及び絶縁放熱用成形品の互いに対向する部分に孔部を形成し、孔部を貫通する取付ネジを基台に螺合させてＬＥＤパッケージを固定する。
【先行技術文献】
【特許文献】
【０００５】
【特許文献１】特開２０１３−２１８８６０号公報
【発明の概要】
【発明が解決しようとする課題】
【０００６】
しかし、照明装置では光源に対する防塵性が要求され、特に、屋外に設置される照明装置では防水性が要求される。このため、ＬＥＤパッケージを外部から隔離する透光性のカバーをパッキン等の防水部材を挟んで基台に取り付ける必要が生じ、組立作業が煩雑化する。
【０００７】
この問題は、ＬＥＤを備えた照明装置だけでなく、電気部品を収納する電気機器に一般的に生じる。
【０００８】
この発明の目的は、絶縁、防水及び放熱機能を与えた状態で電気機器の所定位置に極めて容易に組み込むことができる照明装置を提供することにある。
【課題を解決するための手段】
【０００９】
この発明の照明装置は、
金属製の照明装置本体内に取り付けられ、絶縁放熱用柔軟性材料を素材とし、底面側に窓部が形成された直方体形状の筐体と、
前記筐体の上面側内側で前記窓部から離れた位置に配置され、ＬＥＤを実装した平板状のＬＥＤパッケージと、
前記筐体の前記窓部に配置され、前記ＬＥＤパッケージから発する光を透過する透光性の平板状カバーと、
前記筐体の上面を覆い、前記筐体の熱が伝導される取付金具と、を備え、
前記筐体は、前記ＬＥＤパッケージの上面を筐体内壁に面接触させた状態で前記ＬＥＤパッケージを弾性的に保持する保持部を備え、
前記筐体の窓部は、前記平板状カバーをその周縁部を嵌入した状態で弾性的に挟持する溝部を備える。
【００１０】
平板状のＬＥＤパッケージは、筐体の窓部を経由して筐体の内部の保持部に、上面を保持部の内周面に面接触した状態で、弾性的に挟持されて収納される。筐体は、絶縁放熱用柔軟性材料を素材としており、ＬＥＤパッケージは照明装置本体の支持体に対して電気的に絶縁されるとともに、ＬＥＤパッケージにおいて発生した熱は保持部の内周面を介して筐体に伝導した後に放熱される。平板状カバーは、筐体の窓部の内周面の全周に形成された溝部に、周縁部の全周が嵌入した状態で溝部に弾性的に挟持されて窓部を閉塞し、筐体の内部の防水性を実現する。したがって、ＬＥＤパッケージは、絶縁性、放熱性及び防水性を維持した状態で筐体の内部に収納される。
【００１１】
この構成において、電気部品が基板にＬＥＤを実装したＬＥＤパッケージである場合、カバーを透光性素材とし、保持部を窓部に対向する位置に形成することが好ましい。絶縁性、放熱性及び防水性を備えた照明ユニットを組立容易かつ安価に構成することができる。
【００１２】
また、筐体の外表面における窓部の周縁部に全周にわたって凸部を形成することが好ましい。筐体を照明装置の支持体の開口に窓部が対向するように配置して固定することにより、凸部が支持体の内側面における開口の周囲に密着し、照明装置内部の防水性を確保できる。
【００１３】
さらに、筐体の壁部に取付ネジが貫通する孔部を形成することが好ましい。筐体を照明装置の支持体に固定するための部品を省略することができる。
【００１４】
この発明の照明装置は、上述のＬＥＤパッケージの収納構造と、筐体が所定位置に取り付けられる支持体と、を含む。ＬＥＤパッケージを絶縁性、放熱性及び防水性を維持した状態で、照明装置の所定位置に極めて容易に組み込むことができる。
【００１５】
この発明の照明装置は、電気部品がＬＥＤパッケージであり、カバーを透光性素材とした上述の電気部品の収納構造と、筐体が所定位置に開口を有する支持体と、を含む。ＬＥＤパッケージを絶縁性、放熱性及び防水性を維持した状態で、開口から外部に光を配光できる状態で、照明装置の所定位置に極めて容易に組み込むことができる。
【発明の効果】
【００１６】
この発明によれば、絶縁、防水及び放熱機能を与えた状態でＬＥＤパッケージを照明装置の所定位置に極めて容易に組み込むことができる。
【図面の簡単な説明】
【００１７】
【図１】本発明の実施形態に係る照明装置の外観図である。
【図２】同照明装置の組立図である。
【図３】同照明装置の要部の裏面側の外観図である。
【図４】同照明装置に備えられる光源ユニットの組立図である。
【図５】（Ａ）及び（Ｂ）は、同光源ユニットの筐体の断面図である。
【図６】（Ａ）〜（Ｃ）この発明の別の実施形態に係る光源ユニットの外観図、横断面図及び縦断面図である。
【発明を実施するための形態】
【００１８】
以下に、この発明の実施形態に係る電気部品の収納構造を適用した電気機器としての照明装置について、図面を参照しつつ説明する。
【００１９】
図１〜図３に示すように、本発明の実施形態に係る照明装置１０は、本体１、取付板２、パッキン３を備え、家屋の外壁や門柱等に固定されて表札を照明する。本体１は、この発明の支持体であり、例えばアルミダイキャストによって裏面が開放した筐体形状に形成されており、内部に電源ユニット６及び光源ユニット７を収納する。本体１の底面１１には、開口１２が形成されている。取付板２は、例えばプレス加工により、支持片２１〜２３、取付孔２４，２５、結線用孔２６等を形成した鋼板である。パッキン３は、例えば平板状のエチレンプロピレンゴム等に孔部３１〜３３を形成したものである。
【００２０】
取付板２は、取付孔２４，２５、及び孔部３１，３２を貫通する固定ネジ４により、家屋の外壁等との間にパッキン３を挟んで取り付けられる。本体１は、取付ネジ５を側面１５，１６に形成された孔部１３，１４（孔部１３は図に現れない。）を経由して取付板２の支持片２２，２３に形成されたネジ孔２２Ａ，２３Ａに螺合させて取付板２に固定される。支持片２１は、本体１の上面１７の内側面に当接し、取付板２に対する本体１の上下方向の位置決めに使用される。なお、屋内から引き出された図示しない電源コードは、パッキン３の孔部３３及び取付板２の結線用孔２６を貫通して本体１内に導かれる。
【００２１】
光源ユニット７は、取付金具８を介して本体１の底面１１における所定位置にネジ止めされる。光源ユニット７は、筐体７１の一方の面に平板状のカバー７３を備えている。カバー７３が本体１の開口１２に対向する位置が、本体１における光源ユニット７の所定位置である。光源ユニット７は、電源ユニット６に電気的に接続される。
【００２２】
図４に示すように、光源ユニット７は、筐体７１、ＬＥＤパッケージ７２、カバー７３から構成される。筐体７１は、例えばエチレンプロピレンジエンゴム等の絶縁放熱用柔軟性材料を素材とし、直方体形状であって底面側に窓部７１１が形成されている。窓部７１１は開口１２よりも大きくされており、本体１に光源ユニット７を取り付けた際に、窓部７１１の周縁部は開口１２の周縁部に全周にわたって当接する。筐体７１の内側面における窓部７１１に対向する部分には、保持部７１２が形成されている。
【００２３】
ＬＥＤパッケージ７２は、略６角形状の平板状の基板７２１の表面の中央部にＬＥＤ７２２を実装して構成されている。カバー７３は、例えば透光性のアクリル樹脂の板状体であり、窓部７１の開口部よりも大きい面積の矩形を呈している。
【００２４】
なお、筐体７１に光源部品でない電気部品を収納する場合には、カバー７３は透光性を備える必要はない。
【００２５】
図５（Ａ）及び（Ｂ）に示すように、筐体７１の窓部７１１の内周面には全周にわたって溝部７１３が形成されている。溝部７１３における互いに対向する内側面には、全周にわたって凸部７１３Ａ，７１３Ｂが形成されている。カバー７３は、周縁部を全周にわたって溝部７１３内に嵌入させることにより、両面を溝部７１３に弾性的に挟持される。このとき、凸部７１３Ａ，７１３Ｂが弾性変形してカバー７３の両面に密着し、筐体７１の内部の防水性が確保される。
【００２６】
溝部７１３は、柔軟性材料を素材とする筐体７１に一体的に形成されている。溝部７１３を弾性変形させることにより、カバー７３の周縁部を全周にわたって溝部７１３内に容易に嵌入させることができ、ネジ等の部品を必要とすることなくカバー７３を窓部７１１内に固定的に配置することができる。また、カバー７３の周縁部が全周にわたって溝部７１３に挟持され、パッキン等の部品を必要とすることなく筐体７１内の防水性が維持される。
【００２７】
なお、カバー７３の周縁部の両面が全周にわたって溝部７１３に密着することを条件に、凸部７１３Ａ，７１３Ｂの一方又は両方を省略することができる。
【００２８】
筐体７１の保持部７１２は、底面７１２Ｂが一例として基板７２１を包含する６角形状を呈し、互いに対向する２つの角部の外側に段部７１２Ａを備えている。保持部７１２内にＬＥＤパッケージ７２を収納すると、基板７２１の裏面の全面が底面７２１Ｂに面接触するとともに、基板７２１の表面の互いに対向する２つの角部が段部７１２Ａの内側面に当接する。基板７２１は、周縁部の一部において段部７１２Ａと底面７１２Ｂとの間に弾性的に挟持される。
【００２９】
なお、図４に示すように、保持部７１２内には、電源ユニット６とＬＥＤパッケージ７２とを電気的に接続するリード線が貫通する貫通孔７１２Ｃが形成されている。リード線は、外径が貫通孔７１２Ｃの内径よりも大きく、貫通孔７１２Ｃに周面を弾性的に挟持される。
【００３０】
ＬＥＤパッケージ７２は、柔軟性を有する筐体７１の一部に形成された保持部７１２を弾性変形させることによって保持部７１２内に容易に収納される。ネジ等の部品を必要とすることなく筐体７１内にＬＥＤパッケージ７２を容易に固定できる。
【００３１】
ＬＥＤパッケージ７２は、基板７２１の裏面の全面を筐体７１の一部である底面７１２Ｂに面接触させた状態で、周縁部を段部７１２Ａと底面７１２Ｂとの間に弾性的に挟持されて、保持部７１２内に固定的に保持される。
【００３２】
保持部７１２が一体的に形成された筐体７１は、絶縁放熱用柔軟性材料を素材としているため、ＬＥＤパッケージ７２と本体１及び取付金具８等の金属部材との間を電気的に絶縁するとともに、ＬＥＤパッケージ７２の放熱を促進する。即ち、ＬＥＤ７２２で生じた熱は、基板７２１の裏面から保持部７１２の底面７１２Ｂを経由して筐体７１に伝導し、取付金具８を介して外部に効率よく放熱される。
【００３３】
なお、筐体７１の外表面における窓部７１１の周囲に全周にわたって凸部７１１Ａを形成することにより、取付金具８によって光源ユニット７を本体１の所定位置に固定した際に、凸部７１１Ａが開口１２の周縁部に全周にわたって弾性的に密着する。パッキン等の部品を必要とすることなく、本体１の内部の防水性を維持することができる。但し、光源ユニット７を高い防水性を必要としない場所に設置される電気機器に適用する場合には、凸部７１１Ａを省略できる。
【００３４】
また、筐体７１における外表面の少なくとも一部、特に内面に保持部７１２が形成されている面に、凹凸を形成して表面積を拡大することで、筐体７１の放熱性をさらに高めることもできる。
【００３５】
図６（Ａ）〜（Ｃ）に示すように、この発明の別の実施形態に係る光源ユニット１０７は、筐体１７１における窓部１７１１の外側の４箇所に、筐体１７１を厚さ方向に貫通する固定孔１７１２を形成したものである。固定孔１７１２は、筐体１７１の内部に露出しない。この構成により、固定孔１７１２を貫通する固定ネジを介して、光源ユニット１０７を直接的に本体１の所定位置に固定することができ、取付金具８を省略することができる。
【００３６】
以上の説明では、電気部品としてＬＥＤパッケージを例に挙げ、電気機器として照明装置を例に挙げて説明したが、この発明の電気部品の収納構造は、ＬＥＤパッケージ以外の電気部品についても、また照明装置以外の電気機器についても、同様に適用することができる。
【符号の説明】
【００３７】
１−本体（支持体）
２−取付板
３−パッキン
６−電源ユニット
７−光源ユニット
１０−照明装置
７１−筐体
７２−ＬＥＤパッケージ（電気部品）
７３−カバー
７１１−窓部
７１２−保持部
７２１−基板
７２２−ＬＥＤ
【図１】
0006308119.tif 000002
【図２】
0006308119.tif 000003
【図３】
0006308119.tif 000004
【図４】
0006308119.tif 000005
【図５】
0006308119.tif 000006
【図６】
0006308119.tif 000007